(57)【要約】【課題】測定対象者の生体データに基づいて、測定対象者の状態を表示する際に、測定対象者の状態を表示したことにより測定対象者の状態が悪化してしまうことを防ぐ。【解決手段】表示制御部４４は、測定対象者の生体データに基づいて、測定対象者のストレス度合を表示するよう制御する。そして、表示制御部４４は、測定対象者の携帯端末装置１２においてストレス度合を表示した際に取得された生体データに基づいて算出されたＬＦ／ＨＦの値が、表示する前に算出されたＬＦ／ＨＦの値から予め定められた以上に変化した場合、次回以降算出されたＬＦ／ＨＦの値に基づくストレス度合を携帯端末装置１２に対して表示する際の表示態様を変更するよう制御する。【選択図】図３
2020130784.tif 000002
【特許請求の範囲】
【請求項１】
測定対象者の生体データに基づいて、前記測定対象者の状態を表示する表示手段と、
前記表示手段に前記測定対象者の第１の生体データに基づく第１の状態を表示するように制御した際に、前記表示手段に前記第１の状態を表示した際に取得された第２の生体データが予め定められた条件を満たした場合に、次回以降に前記測定対象者の状態を表示する際の表示態様を、前記第１の状態を表示した際とは異なるように表示態様を変更するよう制御する制御手段と、
を備えた状態表示装置。
【請求項２】
前記測定対象者から取得された生体データに基づいて当該測定対象者の状態を示す指標を算出する算出手段をさらに備え、
前記制御手段は、前記第２の生体データに基づいて算出された第２の指標が、前記第１の生体データに基づいて算出された第１の指標から予め定められた以上に変化した場合、次回以降に前記測定対象者の状態を表示する際の表示態様を、前記第１の指標を表示した際とは、異なるように表示態様を変更するよう制御する請求項１記載の状態表示装置。
【請求項３】
前記制御手段は、次回以降算出された指標を前記表示手段に対して表示しないよう制御する請求項２記載の状態表示装置。
【請求項４】
前記制御手段は、前記表示手段において前記第１の指標を、前記第１の生体データが取得された以前に取得された生体データに基づいて算出された指標と共に表示するよう制御する請求項２記載の状態表示装置。
【請求項５】
前記制御手段は、前記表示手段において前記第１の指標を、前記第１の生体データが取得された以前に取得された生体データに基づいて算出された複数の指標に続いて連続的に表示するよう制御する請求項２又は４記載の状態表示装置。
【請求項６】
前記制御手段は、前記測定対象者の状態の悪化が目立ちにくい表示に変更するよう制御する請求項４又は５記載の状態表示装置。
【請求項７】
前記測定対象者の状態の悪化が目立ちにくい表示には、前記第１の指標を、前記第１の生体データが取得された以前に取得された生体データに基づいて算出された指標と同配色で表示することが含まれる請求項６記載の状態表示装置。
【請求項８】
前記測定対象者の状態の悪化が目立ちにくい表示には、前記第１の指標を、前記第１の生体データが取得された以前に取得された生体データに基づいて算出された指標との差が目立ちにくい縮尺で表示することが含まれる請求項７記載の状態表示装置。
【請求項９】
測定対象者の現在の状態を通知する通知手段をさらに備え、
前記制御手段は、前記表示手段に前記測定対象者の第１の生体データに基づく前記第１の状態を表示するように制御した際に、前記表示手段に当該第１の状態を表示した際に取得された第２の生体データが予め定められた条件を満たした場合に、次回以降に前記測定対象者の状態を通知する際の通知内容を変更するよう制御する請求項１記載の状態表示装置。
【請求項１０】
前記制御手段は、次回以降に前記測定対象者の状態を通知する際の通知内容を、当該測定対象者に対して行動を促す内容に変更するように制御する請求項９記載の状態表示装置。
【請求項１１】
前記制御手段は、次回以降に前記測定対象者の状態を前記通知手段により通知しない又は前記通知手段により通知する頻度を下げるよう制御する請求項９記載の状態表示装置。
【請求項１２】
測定対象者の生体データを検出する検出手段と、
前記検出手段において検出された前記測定対象者の生体データを取得する取得手段と、
前記取得手段により取得された前記測定対象者の状態を表示する表示手段と、
前記表示手段に前記測定対象者の第１の生体データに基づく第１の状態を表示するように制御した際に、前記表示手段に前記第１の状態を表示した際に取得された第２の生体データが予め定められた条件を満たした場合に、次回以降に前記測定対象者の状態を表示する際の表示態様を、前記第１の状態を表示した際とは異なるように表示態様を変更するよう制御する制御手段と、
を有する状態表示システム。
【請求項１３】
測定対象者の生体データを取得する取得ステップと、
取得された生体データから前記測定対象者の状態を表示する表示ステップと、
測定対象者の第１の生体データに基づく第１の状態を表示するように制御した際に、前記第１の状態を表示した際に取得された第２の生体データが予め定められた条件を満たした場合に、次回以降に前記測定対象者の状態を表示する際の表示態様を、前記第１の状態を表示した際とは異なるように表示態様を変更するよう制御する制御ステップと、
をコンピュータに実行させるためのプログラム。
【発明の詳細な説明】
【技術分野】
【０００１】
本発明は、状態表示装置、状態表示システム及びプログラムに関する。
【背景技術】
【０００２】
特許文献１には、被検者の心拍計測値と心拍間隔測定値とを周波数分析を行って高周波数指数、低周波数指数及びそれらの比を求め、周波数分析の結果から交感神経指標、副交感神経指標及び心拍を、安静状態、乱数生成課題遂行状態及び課題遂行後の安静状態の３つの状態において算出し、各状態において算出された交感神経指標、副交感神経指標と心拍を、予め算出されて記憶された健常者の交感神経指標及び副交感神経指標から設定された閾値と多元的に比較して評価する指標生成装置が開示されている。
【０００３】
特許文献２には、生体情報から被験者の感性を高度に推定する感性評価システムとして、生体データとして、交感神経系および副交感神経系の反応を取得する取得部と、得られた生体データから、被験者が抱く感性要因の候補群を判定する生体データ分析部と、被験者から得た情報から、その被験者の内的状態が快および不快の何れであるかを判定するポジティブ・ネガティブ分析部と、生体データ分析部とポジティブ・ネガティブ分析部の分析結果を統合して総合的に感性を推定する総合評価部とを設けた感性評価システムが開示されている。
【先行技術文献】
【特許文献】
【０００４】
【特許文献１】特許第５４９２２４７号公報
【特許文献２】特許第５９５８８２５号公報
【発明の概要】
【発明が解決しようとする課題】
【０００５】
本発明の目的は、測定対象者の生体データに基づいて、測定対象者の状態を表示する際に、測定対象者の状態を表示したことにより測定対象者の状態が悪化してしまうことを防ぐことが可能な状態表示装置、状態表示システム及びプログラムを提供することである。
【課題を解決するための手段】
【０００６】
請求項１に係る本発明は、測定対象者の生体データに基づいて、前記測定対象者の状態を表示する表示手段と、前記表示手段に前記測定対象者の第１の生体データに基づく第１の状態を表示するように制御した際に、前記表示手段に前記第１の状態を表示した際に取得された第２の生体データが予め定められた条件を満たした場合に、次回以降に前記測定対象者の状態を表示する際の表示態様を、前記第１の状態を表示した際とは異なるように表示態様を変更するよう制御する制御手段と、を備えた状態表示装置である。
【０００７】
請求項２に係る本発明は、前記測定対象者から取得された生体データに基づいて当該測定対象者の状態を示す指標を算出する算出手段をさらに備え、前記制御手段は、前記第２の生体データに基づいて算出された第２の指標が、前記第１の生体データに基づいて算出された第１の指標から予め定められた以上に変化した場合、次回以降に前記測定対象者の状態を表示する際の表示態様を、前記第１の指標を表示した際とは、異なるように表示態様を変更するよう制御する請求項１記載の状態表示装置である。
【０００８】
請求項３に係る本発明は、前記制御手段は、次回以降算出された指標を前記表示手段に対して表示しないよう制御する請求項２記載の状態表示装置である。
【０００９】
請求項４に係る本発明は、前記制御手段は、前記表示手段において前記第１の指標を、前記第１の生体データが取得された以前に取得された生体データに基づいて算出された指標と共に表示するよう制御する請求項２記載の状態表示装置である。
【００１０】
請求項５に係る本発明は、前記制御手段は、前記表示手段において前記第１の指標を、前記第１の生体データが取得された以前に取得された生体データに基づいて算出された複数の指標に続いて連続的に表示するよう制御する請求項２又は４記載の状態表示装置である。
【００１１】
請求項６に係る本発明は、前記制御手段は、前記測定対象者の状態の悪化が目立ちにくい表示に変更するよう制御する請求項４又は５記載の状態表示装置である。
【００１２】
請求項７に係る本発明は、前記測定対象者の状態の悪化が目立ちにくい表示には、前記第１の指標を、前記第１の生体データが取得された以前に取得された生体データに基づいて算出された指標と同配色で表示することが含まれる請求項６記載の状態表示装置である。
【００１３】
請求項８に係る本発明は、前記測定対象者の状態の悪化が目立ちにくい表示には、前記第１の指標を、前記第１の生体データが取得された以前に取得された生体データに基づいて算出された指標との差が目立ちにくい縮尺で表示することが含まれる請求項７記載の状態表示装置である。
【００１４】
請求項９に係る本発明は、測定対象者の現在の状態を通知する通知手段をさらに備え、前記制御手段は、前記表示手段に前記測定対象者の第１の生体データに基づく前記第１の状態を表示するように制御した際に、前記表示手段に当該第１の状態を表示した際に取得された第２の生体データが予め定められた条件を満たした場合に、次回以降に前記測定対象者の状態を通知する際の通知内容を変更するよう制御する請求項１記載の状態表示装置である。
【００１５】
請求項１０に係る本発明は、前記制御手段は、次回以降に前記測定対象者の状態を通知する際の通知内容を、当該測定対象者に対して行動を促す内容に変更するように制御する請求項９記載の状態表示装置である。
【００１６】
請求項１１に係る本発明は、前記制御手段は、次回以降に前記測定対象者の状態を前記通知手段により通知しない又は前記通知手段により通知する頻度を下げるよう制御する請求項９記載の状態表示装置である。
【００１７】
請求項１２に係る本発明は、測定対象者の生体データを検出する検出手段と、前記検出手段において検出された前記測定対象者の生体データを取得する取得手段と、前記取得手段により取得された前記測定対象者の状態を表示する表示手段と、前記表示手段に前記測定対象者の第１の生体データに基づく第１の状態を表示するように制御した際に、前記表示手段に前記第１の状態を表示した際に取得された第２の生体データが予め定められた条件を満たした場合に、次回以降に前記測定対象者の状態を表示する際の表示態様を、前記第１の状態を表示した際とは異なるように表示態様を変更するよう制御する制御手段と、を有する状態表示システムである。
【００１８】
請求項１３に係る本発明は、測定対象者の生体データを取得する取得ステップと、取得された生体データから前記測定対象者の状態を表示する表示ステップと、測定対象者の第１の生体データに基づく第１の状態を表示するように制御した際に、前記第１の状態を表示した際に取得された第２の生体データが予め定められた条件を満たした場合に、次回以降に前記測定対象者の状態を表示する際の表示態様を、前記第１の状態を表示した際とは異なるように表示態様を変更するよう制御する制御ステップと、をコンピュータに実行させるためのプログラムである。
【発明の効果】
【００１９】
請求項１に係る本発明によれば、測定対象者の生体データに基づいて測定対象者の状態を表示する際に、測定対象者の状態を表示したことにより測定対象者の状態が悪化してしまうことを防ぐことが可能な状態表示装置を提供することができる。
【００２０】
請求項２に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００２１】
請求項３に係る本発明によれば、測定対象者の状態を表示したことにより測定対象者の状態が悪化してしまうことを防ぐことが可能な状態表示装置を提供することができる。
【００２２】
請求項４に係る本発明によれば、測定対象者の状態を示す指標を表示する際に、過去に算出された指標と比較することが可能な状態表示装置を提供することができる。
【００２３】
請求項５に係る本発明によれば、測定対象者の状態を示す指標を表示する際に、過去に算出された複数の指標と比較することが可能な状態表示装置を提供することができる。
【００２４】
請求項６に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００２５】
請求項７に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００２６】
請求項８に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００２７】
請求項９に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００２８】
請求項１０に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００２９】
請求項１１に係る本発明によれば、測定対象者の状態を示す指標を表示する際に、当該指標を測定対象者に表示したことにより測定対象者の状態が悪化してしまうことを防ぐことが可能な状態表示装置を提供することができる。
【００３０】
請求項１２に係る本発明によれば、測定対象者の状態を表示する際に、測定対象者の状態を表示したことにより測定対象者の状態が悪化してしまうことを防ぐことが可能な状態表示システムである。
【００３１】
請求項１３に係る本発明によれば、測定対象者の状態を表示する際に、測定対象者の状態を表示したことにより測定対象者の状態が悪化してしまうことを防ぐことが可能なプログラムである。
【図面の簡単な説明】
【００３２】
【図１】本発明の一実施形態の指標表示システムの構成を示す図である。
【図２】本発明の一実施形態の管理サーバ１４のハードウェア構成を示すブロック図である。
【図３】本発明の一実施形態の管理サーバ１４の機能構成を示す図である。
【図４】管理サーバ１４のデータ格納部３３に格納されるユーザ情報の一例を示す図である。
【図５】管理サーバ１４における動作を説明するためのフロー図である。
【図６】携帯端末装置１２における測定対象者のストレス度合を示す表示画面例を示す図である。
【図７】（Ａ）及び（Ｂ）は、測定対象者のストレス度合の変動例を示す図である。
【図８】図６に示す携帯端末装置１２における測定対象者のストレス度合を示す表示画面の変更例を示す図である。
【図９】（Ａ）、（Ｂ）及び（Ｃ）は、図６に示す携帯端末装置１２における表示画面の変更例を示す図である。
【図１０】携帯端末装置１２における測定対象者のストレス度合を示す表示画面の変形例を示す図である。
【図１１】（Ａ）及び（Ｂ）は、図１０に示す携帯端末装置１２における表示画面の変更例を示す図である。
【発明を実施するための形態】
【００３３】
次に、本発明の実施の形態について図面を参照して詳細に説明する。
【００３４】
図１は本発明の一実施形態の状態表示システムの一例である指標表示システムの構成を示す図である。
【００３５】
本発明の一実施形態の指標表示システムは、図１に示されるように、検出装置としてのウェアラブル端末装置１０と、ウェアラブル端末装置１０に、スマートフォンやタブレット端末等の携帯端末装置１２又は複合機等の画像形成装置１３を介してインターネット１８を経由して接続される管理サーバ１４と、管理サーバ１４にインターネット１８を介して接続されるパーソナルコンピュータ等の端末装置１５とから構成されている。ウェアラブル端末装置１０、携帯端末装置１２、画像形成装置１３及び端末装置１５は、管理サーバ１４からの通知内容等を表示する表示装置としての機能も有している。
【００３６】
ウェアラブル端末装置１０は、ユーザが身に着けて心拍変動等の生体データを検出する装置であり、例えばユーザの心拍変動を検出する心拍計（脈拍計でもよい）及び加速度を検出する加速度計を有する。ウェアラブル端末装置１０は、例えばリスト型であって、測定対象者の腕に装着されて、測定対象者の生体データを検出する。ウェアラブル端末装置１０は、Ｂｌｕｅｔｏｏｔｈ（登録商標）等の近距離無線通信により携帯端末装置１２又は画像形成装置１３に相互に接続され情報の送受信を行う。
【００３７】
携帯端末装置１２は、無線ＬＡＮターミナル１６との間で無線回線により接続されることによりインターネット１８経由で管理サーバ１４と接続される。
【００３８】
画像形成装置１３は、インターネット１８経由で管理サーバ１４と接続される。また、画像形成装置１３は、無線又は有線により管理サーバ１４に接続されるようにしてもよい。
【００３９】
つまり、ウェアラブル端末装置１０は、検出された生体データを近距離無線通信により携帯端末装置１２又は画像形成装置１３に対して送信し、携帯端末装置１２及び画像形成装置１３は、検出された生体データをインターネット１８経由で管理サーバ１４に送信する。
【００４０】
管理サーバ１４は、ウェアラブル端末装置１０から測定対象者の生体データを取得し、この生体データから測定対象者のストレス状態を評価する。そして、評価した結果を例えば測定対象者の携帯端末装置１２や、測定対象者のウェアラブル端末装置１０や、画像形成装置１３や、測定対象者や管理者の端末装置１５に通知し、表示する制御を行う。
【００４１】
ここで、測定対象者がストレスの高い状態になると、交感神経が優位になり、測定対象者がストレスの低い状態になると、副交感神経が優位になることが知られている。そのため、本実施形態の指標表示システムでは、測定対象者から検出された生体データから交感神経活動指標であるＬＦ／ＨＦの値に基づいて算出されたストレス度合を用いて、測定対象者のストレス状態を評価する。
【００４２】
本実施形態においては、例えばＬＦ／ＨＦの所定の値をストレス１００％として、測定対象者のＬＦ／ＨＦの値を％表示に換算して測定対象者のストレス度合として評価する。また、ストレス１００％としたＬＦ／ＨＦの所定の値を複数の段階に分割して換算し、ストレス度合として評価する。例えば、ストレス１００％としたＬＦ／ＨＦの所定の値を３段階に換算し、第１の閾値と第２の閾値を設定する。そして、ストレス度合として換算された値が第１の閾値以下であればストレスの低い状態である小ストレス状態、第１の閾値より大きく第２の閾値以下であれば中ストレス状態、第２の閾値よりも大きい場合にストレスの高い状態である高ストレス状態であると評価する。そして、ストレス度合が高ストレス状態である場合に、測定対象者の携帯端末装置１２に通知する。なお、予め設定された時間に測定対象者のストレス度合を測定対象者の携帯端末装置１２に通知するようにしてもよい。
【００４３】
次に、本実施形態の指標表示システムにおける管理サーバ１４のハードウェア構成を図２に示す。
【００４４】
管理サーバ１４は、図２に示されるように、ＣＰＵ２１と、一時的にデータを保存可能なメモリ２２と、ハードディスクドライブ（ＨＤＤ）等の記憶装置２３と、タッチパネル又は液晶ディスプレイ並びにキーボードを含むユーザインタフェース（ＵＩ）装置２４と、外部の装置等との間でデータの送信及び受信を行う通信インタフェース（ＩＦ）２５とを備えている。これらの構成要素は、制御バス２６を介して互いに接続されている。
【００４５】
ＣＰＵ２１は、メモリ２２または記憶装置２３に格納された制御プログラムに基づいて所定の処理を実行して、管理サーバ１４の動作を制御する。なお、本実施形態では、ＣＰＵ２１は、メモリ２２または記憶装置２３内に格納された制御プログラムを読み出して実行するものとして説明したが、当該プログラムをＣＤ−ＲＯＭ等の記憶媒体に格納してＣＰＵ２１に提供することも可能である。
【００４６】
図３は、上記の制御プログラムが実行されることにより実現される管理サーバ１４の機能構成を示すブロック図である。
【００４７】
本実施形態の管理サーバ１４は、図３に示されるように、データ通信部３１と、制御部３２と、データ格納部３３と、を備えている。
【００４８】
データ通信部３１は、携帯端末装置１２、画像形成装置１３及び端末装置１５との間でインターネット１８を介したデータ通信を行っている。
【００４９】
制御部３２は、管理サーバ１４の動作を制御していて、データ取得部４１と、通知部４２と、算出部４３と、表示制御部４４と、を備えている。
【００５０】
データ格納部３３は、ユーザ情報等の各種情報を格納している。データ格納部３３には、例えば図４に示すように、測定対象者となるユーザ毎に、測定対象者のストレス状態を通知する通知頻度、通知内容、履歴表示の有無、履歴表示内容等のユーザ情報が紐付けられて格納されている。これらのユーザ情報は、測定対象者であるユーザのストレス度合に応じて変更される。
【００５１】
データ取得部４１は、測定対象者の生体データを取得する。
【００５２】
算出部４３は、データ取得部４１により取得された生体データから測定対象者のＬＦ／ＨＦの値を算出する。
【００５３】
具体的には、算出部４３は、データ取得部４１により取得された生体データからＲＲ間隔時系列の周波数成分をパワースペクトル分析する。そして、算出部４３は、ＲＲ間隔時系列の周波数成分のうち、交感神経の影響を受けるＬＦと、副交感神経の影響を受けるＨＦとを求め、さらに交感神経活動指標であるＬＦ／ＨＦの値を算出する。
【００５４】
通知部４２は、算出部４３により算出されたＬＦ／ＨＦの値が第２の閾値よりも大きい場合に、測定対象者のストレス状態が高ストレス状態であるとして、測定対象者のストレス度合を携帯端末装置１２に対して通知する。なお、通知部４２は、予め設定された時間に、現在の測定対象者のストレス度合を通知するように設定することもできる。
【００５５】
表示制御部４４は、端末装置１２、画像形成装置１３及び端末装置１５においてそれぞれ表示される画面を制御する。また、表示制御部４４は、算出部４３により算出されたＬＦ／ＨＦの値に基づいて測定対象者の状態であるストレス度合を表示するよう携帯端末装置１２の表示画面を制御する。
【００５６】
また、データ取得部４１は、算出部４３により算出されたＬＦ／ＨＦの値に基づいて、測定対象者のストレス度合を測定対象者の携帯端末装置１２に表示するよう携帯端末装置１２を制御する際に、ウェアラブル端末装置１０を用いて検出された測定対象者の生体データをデータ取得部４１により取得する。
【００５７】
ここで、「測定対象者のストレス度合を測定対象者の携帯端末装置１２に表示するよう携帯端末装置１２を制御する際に、ウェアラブル端末装置１０を用いて検出された測定対象者の生体データ」とは、測定対象者のストレス度合を、測定対象者の携帯端末装置１２に表示するよう携帯端末装置１２を制御した直後のウェアラブル端末装置１０を用いて検出された生体データであって、例えば、測定対象者のストレス度合の表示が測定対象者の携帯端末装置１２に表示されてから、この表示が消えるまでにウェアラブル端末装置１０により検出された生体データである。表示が消える条件としては、予め設定された時間が経過した場合や、測定対象者が腕を動かしたことを加速度計等により検知した場合や、測定対象者の視線が検知されなくなった場合等が挙げられる。また、測定対象者のストレス度合の表示が測定対象者の携帯端末装置１２に表示されてから、予め設定された時間が経過した後にウェアラブル端末装置１０により検出された生体データであってもよく、例えば測定対象者のストレス度合が測定対象者の携帯端末装置１２に表示されてから３秒後にウェアラブル端末装置１０により検出された生体データである。つまり、「測定対象者のストレス度合を測定対象者の携帯端末装置１２に表示するよう携帯端末装置１２を制御する際に、ウェアラブル端末装置１０を用いて検出された測定対象者の生体データ」とは、測定対象者がストレス度合の表示を確認後、または、確認したことが推定された後に、ウェアラブル端末装置１０を用いて検出された生体データである。
【００５８】
ここで、生体データを取得してストレス状態を測定対象者に正しく認識させることにより、測定対象者のストレス状態が悪化してしまう場合がある。
【００５９】
表示制御部４４は、測定対象者の携帯端末装置１２において測定対象者のストレス状態を表示した際に取得された生体データが、予め定められた条件を満たした場合に、次回以降に測定対象者の携帯端末装置１２に測定対象者のストレス状態を表示する際の表示態様を変更するよう制御する。
【００６０】
具体的には、表示制御部４４は、測定対象者の携帯端末装置１２においてストレス度合を表示した際に取得された生体データに基づいて算出されたＬＦ／ＨＦの値が、表示する前に算出されたＬＦ／ＨＦの値から予め定められた以上に変化した場合、次回以降算出されたＬＦ／ＨＦの値に基づくストレス度合を携帯端末装置１２に対して表示する際の表示態様を変更するよう制御する。
【００６１】
ここで、「表示態様を変更するよう制御する」には、測定対象者のストレス度合を測定対象者の携帯端末装置１２に表示しないように制御することが含まれる。
【００６２】
また、「次回以降算出されたＬＦ／ＨＦの値に基づくストレス度合を携帯端末装置１２に対して表示する際の表示態様を変更するよう制御する」とは、表示制御部４４が、ストレス度合を表示した際に取得された生体データに基づいて算出されたＬＦ／ＨＦの値が、表示する前に算出されたＬＦ／ＨＦの値から予め定められた以上に変化した場合に、次に算出部４３により算出されたＬＦ／ＨＦの値に基づくストレス度合を表示する際の表示態様を変更し、さらに表示態様を変更した後のストレス度合を表示した際に取得された生体データに基づいて算出されたＬＦ／ＨＦの値が、表示する前に算出されたＬＦ／ＨＦの値から予め定められた以上に変化しなくなるまで携帯端末装置１２に対して表示する際の表示態様を変更するよう制御することを意味する。なお、表示制御部４４が、測定対象者の何らかの表示意思がなされるまでの間、表示態様を変更するよう制御するようにしてもよい。
【００６３】
また、表示制御部４４は、携帯端末装置１２において例えば「高ストレス状態」であると表示された際に、ウェアラブル端末装置１０を用いて検出された生体データに基づいて算出されたＬＦ／ＨＦの値が、表示する前に算出されたＬＦ／ＨＦの値から予め定められた以上に変化した場合、次回以降算出されたＬＦ／ＨＦの値に基づく現在の測定対象者のストレス度合を通知部４２により通知する際の通知内容を変更するよう制御する。
【００６４】
ここで、「通知内容を変更する」とは、例えば測定対象者のストレス度合を測定対象者の携帯端末装置１２に対して通知部４２により通知しないことや、通知する頻度を変更することや、動物の画像や風景画像やユーザが予め登録した画像等の測定対象者の副交感系神経を優位にするような表示に変更することや、測定対象者の副交感神経を優位にするような行動を測定対象者に促す表示に変更すること等である。なお、測定対象者の副交感神経を優位にするような行動を測定対象者に促すとは、例えば、休憩をとることを推奨する、音楽を聴くことを推奨する、帰宅を推奨する等が挙げられる。
【００６５】
また、表示制御部４４は、携帯端末装置１２において現在の測定対象者のストレス度合を、今回の生体データが取得された以前に取得された生体データに基づいて算出された指標である過去に算出されたＬＦ／ＨＦの値に基づくストレス度合と共に表示するよう制御する。また、表示制御部４４は、携帯端末装置１２において現在の測定対象者のストレス度合を、今回の生体データが取得された以前に取得された生体データに基づいて算出された指標である過去に算出された複数のＬＦ／ＨＦの値に基づくストレス度合に続いて連続的に表示するよう制御する。
【００６６】
また、表示制御部４４は、携帯端末装置１２において現在の測定対象者のストレス度合を、過去に算出された複数のＬＦ／ＨＦの値に基づくストレス度合に続いて連続的に表示した際に取得された生体データに基づいて算出されたＬＦ／ＨＦの値が、表示する前に算出されたＬＦ／ＨＦの値から予め定められた以上に変化した場合、次回以降算出されたＬＦ／ＨＦの値に基づくストレス度合を携帯端末装置１２に対して表示する際の表示を、測定対象者のストレス状態の悪化が目立ちにくい表示に変更するよう制御する。
【００６７】
ここで、「測定対象者のストレス状態の悪化が目立ちにくい表示」とは、例えば現在の測定対象者のストレス度合を、過去に算出されたＬＦ／ＨＦの値に基づくストレス度合と同配色で表示することや、現在の測定対象者のストレス度合を、過去に算出されたＬＦ／ＨＦの値に基づくストレス度合との差が目立ちにくい縮尺で表示すること等である。同配色の一例として、過去のストレス度合を水色で表示し、現在のストレス度合を青色で表示する等が挙げられる。
【００６８】
次に、本実施形態の指標表示システムにおける管理サーバ１４の動作について、図５〜図８に基づいて説明する。
【００６９】
まず、ステップＳ１０において、管理サーバ１４は、データ取得部４１により測定対象者の生体データを取得する。
【００７０】
そして、ステップＳ１１において、管理サーバ１４は、取得した生体データに基づいて、算出部４３により交換神経、副交感神経の活動比率であり、第１の指標となるＬＦ／ＨＦの値を算出する。
【００７１】
そして、ステップＳ１２において、ステップＳ１１において算出されたＬＦ／ＨＦの値が第２の閾値より大きいか否かが判定される。そして、ＬＦ／ＨＦの値が第２の閾値以下である場合には、ステップＳ１０の処理へ戻される。また、ＬＦ／ＨＦの値が第２の閾値より大きい場合には、ステップＳ１３において、通知部４２により測定対象者のＬＦ／ＨＦの値に基づくストレス度合が測定対象者の携帯端末装置１２に通知される。そして、例えば図６に示すように、測定対象者の携帯端末装置１２の表示画面に表示制御部４４により現在のストレス度合が高ストレス状態である旨が表示される。
【００７２】
そして、ステップＳ１４において、ステップＳ１３において測定対象者の携帯端末装置１２に表示するよう携帯端末装置１２を制御した直後にウェアラブル端末装置１０を用いて検出された生体データがデータ取得部４１により取得される。
【００７３】
そして、ステップＳ１５において、ステップＳ１４においてデータ取得部４１により取得された生体データから第２の指標となるＬＦ／ＨＦの値が算出される。
【００７４】
そして、ステップＳ１６において、ステップＳ１０〜ステップＳ１５が所定期間繰り返される。
【００７５】
そして、ステップＳ１７において、測定対象者の生体データと、生体データに基づいて算出されるＬＦ／ＨＦの値のデータが蓄積したら、第１の指標に基づくストレス度合を表示画面に表示した後に算出された第２の指標となるＬＦ／ＨＦの値が、第１の指標に基づくストレス度合を表示する前に算出されたＬＦ／ＨＦの値から予め定められた回数、予め定められた以上に変化したか否かが判定される。例えば、ストレス度合を表示画面に表示した後に算出されたＬＦ／ＨＦが、表示する前に算出されたＬＦ／ＨＦから５回中、４回、予め定められた以上に変化したか否かが判定される。
【００７６】
図７（Ａ）及び図７（Ｂ）は、ウェアラブル端末装置１０を用いて検出される測定対象者のストレス度合の変動を示す図である。図７（Ａ）及び図７（Ｂ）の縦軸はストレス度合を示し、横軸は時間を示す。測定対象者は、図７（Ａ）及び図７（Ｂ）中におけるピーク値で、それぞれストレスを受けていることを示している。
【００７７】
図７（Ａ）及び図７（Ｂ）において、それぞれ１回目のピーク値は、第１の指標となるストレス度合を表示する前に検出される生体データから算出されるＬＦ／ＨＦの値に基づくストレス度合を示す。そして、２回目のピーク値は、第２の指標となるストレス度合を測定対象者の携帯端末装置１２の表示画面に表示した直後に検出される生体データから算出されるＬＦ／ＨＦの値に基づくストレス度合を示す。
【００７８】
例えば、第２の指標となるＬＦ／ＨＦの値の絶対値Ｓ２と第１の指標となるＬＦ／ＨＦの値の絶対値Ｓ１の差分ΔＳが算出され、差分ΔＳが予め定められた回数、予め定められた値以上であるか否かが判定される。
【００７９】
そして、ステップＳ１８において、ストレス度合を表示画面に表示した後に算出されたＬＦ／ＨＦの値が、表示する前に算出されたＬＦ／ＨＦの値から予め定められた回数、予め定められた以上に変化していない場合には、測定対象者の携帯端末装置１２の表示態様は変更されない。すなわち、図７（Ａ）に示すように、差分ΔＳが予め定められた回数、予め定められた値以上でない場合には、表示態様は変更されない。つまり、携帯端末装置１２に図６に示す内容を表示したことにより、測定対象者のストレス状態が悪化したと判断されず、図６の表示内容と測定対象者のストレス状態とは相関がないと判定されて、表示態様は変更されない。
【００８０】
また、ステップＳ１９において、ストレス度合を表示画面に表示した後に算出されたＬＦ／ＨＦの値が、表示する前に算出されたＬＦ／ＨＦの値から予め定められた回数、予め定められた以上に変化した場合には、表示制御部４４により測定対象者の携帯端末装置１２の表示態様は変更される。すなわち、図７（Ｂ）に示すように、差分ΔＳが予め定められた回数、予め定められた値以上である場合には、表示制御部４４は、次回以降の表示態様を、例えば図８に示すような測定対象者のストレス状態を悪化させないような表示に変更するように制御する。つまり、携帯端末装置１２に図６に示す内容を表示したことにより、測定対象者はストレス状態が悪化したと判断され、図６の表示内容と測定対象者のストレス状態とは相関があると判定されて、例えば図８に示すような表示内容に表示態様が変更される。
【００８１】
次に、表示態様を変更する他の表示画面例について、図９に基づいて説明する。
【００８２】
ストレス度合を表示画面に表示した後に算出されたＬＦ／ＨＦの値が、表示する前に算出されたＬＦ／ＨＦの値から予め定められた回数、予め定められた以上に変化した場合には、表示制御部４４は、測定対象者の携帯端末装置１２の表示態様を、図９（Ａ）に示すように、測定対象者の副交感神経を優位にするような行動を測定対象者に促す表示に変更したり、図９（Ｂ）に示すように、動物の画像や風景画像等の測定対象者の副交感系神経を優位にするような表示に変更したり、図９（Ｃ）に示すように、測定対象者のストレス度合を携帯端末装置１２に通知しない、通知する頻度を２分の１にする等、変更するよう制御するようにしてもよい。
【００８３】
次に、携帯端末装置１２における測定対象者のストレス度合を示す表示画面の変形例について、図１０に基づいて説明する。
【００８４】
図６及び図８等に示すような携帯端末装置１２の表示画面において、履歴表示ボタン５１が押下されると、表示制御部４４は、図１０に示すように、測定対象者の現在のストレス度合を、過去に算出された複数のＬＦ／ＨＦの値に基づいたストレス度合に連続して表示するよう制御する。つまり、測定対象者の現在のストレス度合が、過去のストレス度合の変位と共に表示される。図１０は、ＬＦ／ＨＦの所定の値をストレス１００％として、測定対象者のＬＦ／ＨＦの値を％表示に換算して測定対象者のストレス度合として表示する例が示されている。また、図１０において、各日におけるストレス度合が、ストレス度合に応じて異なる配色で表示され、例えば高ストレス状態である場合に、低ストレス状態、中ストレス状態とは異なる配色で表示される。具体的には、図１０では、測定対象者は、１１月１０日以降、高ストレス状態が続いていることが示されている。なお、日付単位でなく、時間単位でストレス度合を表示するようにしてもよい。
【００８５】
そして、図１０に示す内容を携帯端末装置１２に表示するよう携帯端末装置１２を制御した直後にウェアラブル端末装置１０を用いて検出された生体データがデータ取得部４１により取得され、取得された生体データからＬＦ／ＨＦの値が算出される。そして、測定対象者のストレス度合を示すＬＦ／ＨＦの値のデータが蓄積したら、ストレス度合を表示画面に表示した後に算出されたＬＦ／ＨＦの値が、表示する前に算出されたＬＦ／ＨＦの値から予め定められた以上に変化しているか否かが判定される。
【００８６】
そして、上記を所定期間繰り返し、ストレス度合を表示画面に表示した後に算出されたＬＦ／ＨＦの値が、表示する前に算出されたＬＦ／ＨＦの値から予め定められた回数、予め定められた以上に変化した場合には、表示制御部４４は、測定対象者の携帯端末装置１２の表示態様を変更するように制御する。すなわち、表示制御部４４は、次回以降の表示態様を、例えば図１１（Ａ）又は図１１（Ｂ）に示すような測定対象者が、検出結果を過剰に捉えないよう、測定対象者のストレス状態をさらに悪化させないような、測定対象者のストレス状態の悪化が目立ち難い表示に変更するように制御する。つまり、携帯端末装置１２に図１０に示す内容を表示したことにより、測定対象者のストレス状態が悪化したと判断され、図１０の表示内容と測定対象者のストレス状態とは相関があると判定されて、例えば図１１（Ａ）及び図１１（Ｂ）に示すような表示内容に表示態様が変更される。
【００８７】
具体的には、表示制御部４４は、図１１（Ａ）に示すように、図１０における１１月１０日以降の高ストレス状態の配色を、１１月１０日より前の高ストレス状態でないストレス状態の配色と同じにして、ストレス状態の悪化が目立ち難い表示に変更するよう制御する。また、表示制御部４４は、図１１（Ｂ）に示すように、図１０における１１月１０日以降の高ストレス状態のグラフの縮尺を小さくして、ストレス状態の悪化が目立ち難い表示に変更するように制御する。
【００８８】
[変形例]
上記実施形態では、リスト型のウェアラブル端末装置１０を用いて生体データを検出する例を用いて説明したが、本発明はこれに限定されるものではなく、衣類型や、手首や足首に巻くバンド型、眼鏡型、帽子型、接着パッチ型等のウェアラブル端末装置を用いる場合にも同様に本発明を適用することができる。また、画像形成装置１３を用いて生体データを検出する場合にも同様に本発明を適用することができる。
【００８９】
また、上記実施形態では、測定対象者の生体データとして心拍変動等の生体データを検出してＬＦ／ＨＦの値に基づいて算出する例を用いて説明したが、本発明はこれに限定されるものではなく、脈拍、血圧、脳波等の生体データを検出する場合にも同様に本発明を適用することができる。また、測定対象者の生体データを検出して、測定対象者の健康状態等の測定対象者の状態を用いる場合にも同様に本発明を適用することができる。
【００９０】
また、上記実施形態では、ＬＦ／ＨＦの値に基づいて算出されたストレス度合を測定対象者のストレス状態を示す指標として表示する例を用いて説明したが、ＬＦ／ＨＦの値そのものを測定対象者のストレス状態を示す指標として表示するようにしても良い。つまり、測定対象者のストレス状態を示す指標には、ＬＦ／ＨＦの値に基づいて算出されたストレス度合だけでなく、ＬＦ／ＨＦの値も含まれる。
【００９１】
また、上記実施形態では、ウェアラブル端末装置１０で検出した測定対象者の生体データを携帯端末装置１２を介してインターネット１８経由で管理サーバ１４に送信し、測定対象者の携帯端末装置１２の表示画面上に検出結果を表示する制御を行う例を用いて説明したが、本発明はこれに限定されるものではなく、測定対象者のウェアラブル端末装置１０の表示画面上や、画像形成装置１３の表示画面上や、測定対象者や管理者の端末装置１５の表示画面上に検出結果を表示する制御を行うようにしてもよい。また、ウェアラブル端末装置１０は、例えばＷｉ−Ｆｉ（登録商標）等の無線通信により直接、管理サーバ１４に接続されるようにしてもよい。この場合には、測定対象者のウェアラブル端末装置１０の表示画面上に検出結果を表示する制御を行う場合にも同様に本発明を適用することができる。また、ウェアラブル端末装置１０で検出した測定対象者の生体データを画像形成装置１３を介してインターネット１８経由で管理サーバ１４に送信し、測定対象者のウェアラブル端末装置１０の表示画面上や、画像形成装置１３の表示画面上や、測定対象者や管理者の端末装置１５の表示画面上に検出結果を表示する制御を行う場合にも同様に本発明を適用することができる。
【００９２】
以上、本発明の実施形態について具体的に説明した。しかしながら、本発明は上述の実施形態に限定されるものではなく、その要旨を逸脱しない範囲で種々変更可能である。
【符号の説明】
【００９３】
１０    ウェアラブル端末装置
１２    携帯端末装置
１３    画像形成装置
１４    管理サーバ
１５    端末装置
３１    データ通信部
３２    制御部
３３    データ格納部
４１    データ取得部
４２    通知部
４３    算出部
４４    表示制御部
【図１】
2020130784.tif 000003
【図２】
2020130784.tif 000004
【図３】
2020130784.tif 000005
【図４】
2020130784.tif 000006
【図５】
2020130784.tif 000007
【図６】
2020130784.tif 000008
【図７】
2020130784.tif 000009
【図８】
2020130784.tif 000010
【図９】
2020130784.tif 000011
【図１０】
2020130784.tif 000012
【図１１】
2020130784.tif 000013